(57)【要約】  加飾シート（２０）は、表示装置（１０）に対面して配置される。加飾シート（２０）は、意匠を形成する意匠部（２２）と、互いに離間して配置され且つ意匠部（２２）の非形成部である複数の透過部（２５）と、を備える。少なくとも１つの透過部（２５）に内接する最大の円の直径Ｄは、１４５μｍ以下である。少なくとも１組の隣り合う透過部（２５）の間の距離Ｓは、１４５μｍ以下である。
2020040204.tif 000002
【特許請求の範囲】
【請求項１】
表示装置に対面して配置される加飾シートであって、  意匠を形成する意匠部と、互いに離間して配置され且つ前記意匠部の非形成部である複数の透過部と、を備え、  少なくとも１つの前記透過部に内接する最大の円の直径は、１４５μｍ以下であり、  少なくとも１組の隣り合う前記透過部の間の距離は、１４５μｍ以下である、加飾シート。
【請求項２】
当該加飾シートの断面において、２つの隣り合う前記透過部の間における前記意匠部の正射影の最大長さは、１４５μｍ以下である、請求項１に記載の加飾シート。
【請求項３】
前記透過部の配置のピッチは、２００μｍ以下である、請求項１または２に記載の加飾シート。
【請求項４】
隣り合う前記透過部の間の距離に対する前記意匠部の厚さの比は、０．０３以上０．４１以下である、請求項１乃至３のいずれか一項に記載の加飾シート。
【請求項５】
表示装置に対面して配置される加飾シートであって、  互いに離間して配置され且つ意匠を形成する複数の意匠部と、前記意匠部の非形成部である透過部と、を備え、  少なくとも１つの前記意匠部に内接する最大の円の直径は、１４５μｍ以下であり、  少なくとも１組の隣り合う前記意匠部の間の距離は、１４５μｍ以下である、加飾シート。
【請求項６】
前記透過部が占める面積は、５％以上である、請求項１乃至５のいずれか一項に記載の加飾シート。
【請求項７】
前記意匠部は、絵柄を形成する絵柄部と、前記表示装置に対面する側から前記絵柄部を覆う遮蔽部と、を含む、請求項１乃至６のいずれか一項に記載の加飾シート。
【請求項８】
前記意匠部の厚さは、３０μｍ以下である、請求項１乃至７のいずれか一項に記載の加飾シート。
【請求項９】
表示装置と、  前記表示装置に対面するよう配置された請求項１乃至８のいずれか一項に記載の加飾シートと、を備える、加飾シート付き表示装置。
【請求項１０】
前記表示装置は、所定の画像を形成するための所定のパターン部を含む、請求項９に記載の加飾シート付き表示装置。
【請求項１１】
前記表示装置は、面光源装置を含む、請求項９または１０に記載の加飾シート付き表示装置。
【請求項１２】
前記表示装置は、面光源装置と、前記面光源装置の前記加飾シートの側に配置された所定の画像を形成するための所定のパターン部と、を含む、請求項９に記載の加飾シート付き表示装置。
【発明の詳細な説明】
【技術分野】
【０００１】  本発明は、加飾シート及び加飾シートを有する加飾シート付き表示装置に関する。
【背景技術】
【０００２】  例えばＪＰ９−１１４００３Ａに記載されているような、画像光を表示する表示装置が知られている。このような表示装置は、画像非表示の状態では、通常、黒色に観察される。一方で、例えば自動車や家具、住宅建材等の表面部材においては、意匠性が非常に重要視される。現在、種々の分野に適用される表示装置に対し、単に画像を表示する機能が期待されているだけでなく、周囲環境との意匠性の調和も要求されている。【０００３】  表示装置に意匠性を付与するために、表示装置の表示面に対面して加飾シートを設けることが考えられている。加飾シートは、表示装置の周辺環境と調和することができる意匠性を付与することができる。具体的には、加飾シートに意匠を形成する意匠部が設けられていることで、加飾シートは意匠性を有することができる。また、表示装置の画像光が加飾シートを透過することができるよう、加飾シートの表示面に対面する領域には孔等の透過部が設けられる。【０００４】  ところで、意匠部及び透過部を有する加飾シートが表示装置に対面して設けられると、表示装置の画像光によって形成される画像に重なって、網目状の模様が観察されることがある。このような網目状の模様は、画像の視認性を悪化させ得る。したがって、加飾シートを設けたときに、網目状の模様が観察されないことが望まれている。【０００５】  本件発明者らが確認したところ、このような網目状の模様は、個々の意匠部及び透過部の少なくとも一方の存在が視認されることで観察されていることが知見された。すなわち、網目状の模様は、個々の意匠部及び透過部の少なくとも一方が観察者の空間分解能より大きいために発生していることが知見された。
【発明の開示】
【０００６】  本発明は、このような点を考慮してなされたものであり、加飾シートが表示装置に対面して設けられた加飾シート付き表示装置における網目状の模様の発生を抑制することを目的とする。
【０００７】  本発明の第１の加飾シートは、  表示装置に対面して配置される加飾シートであって、  意匠を形成する意匠部と、互いに離間して配置され且つ前記意匠部の非形成部である複数の透過部と、を備え、  少なくとも１つの前記透過部に内接する最大の円の直径は、１４５μｍ以下であり、  少なくとも１組の隣り合う前記透過部の間の距離は、１４５μｍ以下である。
【０００８】  本発明の第１の加飾シートにおいて、当該加飾シートの断面において、２つの隣り合う前記透過部の間における前記意匠部の正射影の最大長さは、１４５μｍ以下であってもよい。
【０００９】  本発明の第１の加飾シートにおいて、前記透過部の配置のピッチは、２００μｍ以下であってもよい。
【００１０】  本発明の第１の加飾シートにおいて、隣り合う前記透過部の間の距離に対する前記意匠部の厚さの比は、０．０３以上０．４１以下であってもよい。
【００１１】  本発明の第２の加飾シートは、  表示装置に対面して配置される加飾シートであって、  互いに離間して配置され且つ意匠を形成する複数の意匠部と、前記意匠部の非形成部である透過部と、を備え、  少なくとも１つの前記意匠部に内接する最大の円の直径は、１４５μｍ以下であり、  少なくとも１組の隣り合う前記意匠部の間の距離は、１４５μｍ以下である。
【００１２】  本発明の第１または第２の加飾シートにおいて、前記透過部が占める面積は、５％以上であってもよい。
【００１３】  本発明の第１または第２の加飾シートにおいて、前記意匠部は、絵柄を形成する絵柄部と、前記表示装置に対面する側から前記絵柄部を覆う遮蔽部と、を含んでもよい。
【００１４】  本発明の第１または第２の加飾シートにおいて、前記意匠部の厚さは、３０μｍ以下であってもよい。
【００１５】  本発明の加飾シート付き表示装置は、  表示装置と、  前記表示装置に対面するよう配置された上述したいずれかの加飾シートと、を備える。
【００１６】  本発明の加飾シート付き表示装置において、前記表示装置は、所定の画像を形成するための所定のパターン部を含んでもよい。
【００１７】  本発明の加飾シート付き表示装置において、前記表示装置は、面光源装置を含んでもよい。
【００１８】  本発明の加飾シート付き表示装置において、前記表示装置は、面光源装置と、前記面光源装置の前記加飾シートの側に配置された所定の画像を形成するための所定のパターン部と、を含んでもよい。
【００１９】  本発明によれば、網目状の模様の発生を抑制することができる。
【図面の簡単な説明】
【００２０】
【図１】図１は、加飾シート付き表示装置の一例における各要素を概略的に示す分解斜視図である。
【図２】図２は、図１の加飾シート付き表示装置の断面図である。
【図３】図３は、加飾シート付き表示装置の他の例における各要素を概略的に示す分解斜視図である。
【図４】図４は、図３の加飾シート付き表示装置の断面図である。
【図５】図５は、パターン部の一例を示す正面図である。
【図６】図６は、加飾シートの一部を拡大して示す正面図である。
【図７】図７は、表示装置が画像を表示していない状態を示す、加飾シート付き表示装置の正面図である。
【図８】図８は、表示装置が画像を表示している状態を示す、加飾シート付き表示装置の正面図である。
【図９】図９は、従来の加飾シート付き表示装置において、表示装置が画像を表示している状態を示す正面図である。
【図１０】図１０は、加飾シートの一部を拡大して示す正面図である。
【図１１】図１１は、加飾シート付き表示装置の一変形例を示す断面図である。
【図１２】図１２は、加飾シート付き表示装置の別の変形例を示す正面図である。
【発明を実施するための形態】
【００２１】  以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００２２】  なお、本明細書において、「層」、「シート」及び「フィルム」の用語は、呼称の違いのみに基づいて互いから区別されるものではない。例えば「層」という用語は、シート或いはフィルムと呼ばれ得るような部材も含む概念である。
【００２３】  また、本明細書において用いる、形状や幾何学的条件ならびにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００２４】  図１及び図３は、本発明による一実施の形態の加飾シート付き表示装置１の一例及び他の例を概略的に示す分解斜視図である。図２は、図１に示した加飾シート付き表示装置１の断面図であり、図４は、図２に示した加飾シート付き表示装置１の断面図である。図１乃至図４に示されるように、加飾シート付き表示装置１は、表示面１１を有する表示装置１０と、表示面１１に対面して配置された加飾シート２０と、を有している。加飾シート付き表示装置１において、加飾シート２０は、後述する遮蔽部２７が設けられた側が表示装置１０に対面するよう配置されている。なお、図示されている例では、加飾シート付き表示装置１は、平板状に示されているが、加飾シート付き表示装置１の各構成要素が湾曲することで、加飾シート付き表示装置１は、湾曲形状であってもよい。
【００２５】  図１及び図２に示す例では、表示装置１０は、画像光を出射する装置であり、画像光を出射することができる表示面１１を有している。表示装置１０は、液晶ディスプレイやプラズマディスプレイ、有機ＥＬディスプレイ等の任意の表示装置を用いることができる。このような表示装置１０の表示面１１は、典型的にはガラス面となっている。
【００２６】  あるいは、表示装置１０は、印刷が施された透明なフィルム等に光を透過させて画像を表示するものや、光の一部を遮光物によって遮光することで明暗による画像を表示するものであってもよい。この場合、表示装置１０は、光を発する光源及び印刷が施された透明なフィルムや遮光物等の所定のパターン部１３を含んでいる。図３及び図４に示す例では、表示装置１０は、所定のパターン部１３としての遮光物を含んでいる。透明なフィルムの表面や遮光物の非形成部が表示面１１となる。光源としては、所定のパターン部１３を透過する光の強度を均一にするために、例えば面状に光を発する面光源装置１５が用いられることが好ましい。すなわち、表示装置１０は、面光源装置１５と、面光源装置１５の加飾シート２０の側に配置された所定の画像を形成するための所定のパターン部１３と、を含んでいることが好ましい。このような表示装置１０は、画素によって任意の画像を形成することができるドットマトリクスディスプレイでなく、透明なフィルムや遮光物等の所定のパターン部１３に光源からの光を透過させることよって所定の画像を表示するものである。なお、所定の画像とは、例えば液晶表示装置における液晶のように外部からの制御により形成される任意の画像でなく、所定のパターン部１３に光を透過させることによって形成される情報や意匠、典型的には文字や数字、記号、図形、模様等である。したがって、所定のパターン部１３は、形成される所定の画像に対応したパターンとなっている。所定のパターン部１３の一例が、図５に示されている。図５に示す例では、面光源装置１５からの光を文字列「ＡＢＣ」の部分において透過させ、その他の部分では遮光する。これにより、表示装置１０が文字列「ＡＢＣ」を表示することができる。所定の画像の視認性を向上させるため、所定のパターン部１３の少なくとも一部における光を透過する部分の幅が１．０ｍｍ以上であることが好ましい。
【００２７】  加飾シート２０は、表示装置１０の表示面１１に対面して配置され、表示面１１が外部から直接観察されないよう、少なくとも表示面１１の全体を覆っている。加飾シート２０は、表示装置１０の表示面１１の全体を覆うことができるよう、表示面１１の寸法以上の寸法を有している。図１に示す例では、加飾シート２０は、全体として表示装置１０の表示面１１と同一の方向に広がる平板状の部材である。加飾シート２０の厚さは、例えば２０μｍ以上５５０μｍ以下である。
【００２８】  加飾シート２０は、意匠を表示して、加飾シート付き表示装置１に意匠性を付与する。加飾シート２０は、基材部２１と、基材部２１上に設けられた意匠部２２と、意匠部２２の非形成部である透過部２５と、を有している。意匠部２２は、絵柄部２３及び遮蔽部２７を含んでいる。図２及び図４に示された例では、基材部２１に接して遮蔽部２７が設けられ、遮蔽部２７に重ねられて絵柄部２３が設けられている。なお、図示された例に限らず、遮蔽部２７は省略されていてもよい。
【００２９】  基材部２１は、基材部２１上に設けられた意匠部２２、すなわち絵柄部２３および遮蔽部２７を適切に支持する。基材部２１は、透明なフィルム状の部材である。基材部２１としては、可視光を透過し、絵柄部２３及び遮蔽部２７を適切に支持し得るものであればいかなる材料でもよいが、例えば、ポリメタクリル酸メチル、ポリエチレンテレフタレート、ポリエチレンナフタレート、ポリカーボネート、ポリスチレン、環状ポリオレフィン、ＡＢＳ（アクリロニトリル  ブタジエン  スチレン共重合体）等を挙げることができる。また、基材部２１は、可視光透過性や、絵柄部２３および遮蔽部２７の適切な支持性等を考慮すると、１０μｍ以上５００μｍ以下の厚みを有していることが好ましい。
【００３０】  なお、透明とは、分光光度計（（株）島津製作所製「ＵＶ−３１００ＰＣ」、ＪＩＳ  Ｋ  ０１１５準拠品）を用いて測定波長３８０ｎｍ〜７８０ｎｍの範囲内で測定したときの、各波長における透過率の平均値として特定される可視光透過率が、８０％以上であることを意味する。
【００３１】  意匠部２２は、加飾シート２０が表示する意匠を形成する。意匠部２２は、意匠としての絵柄を表示する絵柄部２３と、表示装置１０からの画像光が絵柄部２３に入射することを抑制する遮蔽部２７と、を含んでいる。図２及び図４に示すような加飾シート付き表示装置１の断面及び加飾シート２０の断面において、２つの隣り合う透過部２５の間における意匠部２２の正射影の最大長さＬは、１４５μｍ以下、好ましくは１２１μｍ以下、より好ましくは９７μｍ以下、さらに好ましくは７３μｍ以下となっている。ここで、断面における正射影の長さとは、当該断面内において対象にある方向から平行光を照射したときの、当該平行光の照射方向と直交する方向に形成される影の長さのことを意味する。したがって、断面における正射影の最大長さとは、当該断面内において平行光を任意の方向から照射したときに形成される正射影の長さのうちの最大の長さを意味する。なお、２つの隣り合う透過部２５の間における意匠部２２の正射影の最大長さＬの下限は、後述する２つの隣り合う透過部２５の間の距離Ｓに等しい。図示された例では、加飾シート付き表示装置１の断面において、２つの隣り合う透過部２５の間における意匠部２２は、矩形であり、その対角線の長さが意匠部２２の正射影の最大長さＬとなっている。
【００３２】  絵柄部２３は、加飾シート２０が表示する意匠としての絵柄を形成する。絵柄部２３は、図形、パターン、デザイン、色彩、絵、写真、キャラクター、マーク、文字や数字などの絵柄を、意匠として形成することができる。特に、加飾シート付き表示装置１が設けられる周辺環境と調和させることができる意匠として、木目調や大理石調の絵柄や幾何学模様を例示することができる。また、絵柄部２３は、単色の色彩をベタ印刷してなる絵柄を意匠として形成するものであってもよい。なお、図２及び図４に示すような加飾シート２０のシート面に直交する方向の断面における絵柄部２３の断面形状は、矩形となっているが、これに限らず、台形形状等であってもよい。絵柄部２３の厚さが十分に厚くなっていると、絵柄部２３によって形成される絵柄を濃く明確にすることができる。ここで、絵柄部２３の厚さとは、絵柄部２３を支持する基材部２１の法線方向に沿った絵柄部２３の長さのことである。具体的な例として、絵柄部２３の厚さは、１μｍ以上２０μｍ以下であることが好ましい。
【００３３】  透過部２５は、表示装置１０からの画像光を透過させるために設けられている。透過部２５は、図２及び図３に示すように、加飾シート２０の正面からの観察において、意匠部２２の非形成部、すなわち絵柄部２３及び遮蔽部２７の非形成部である。表示装置１０からの画像光を十分に透過させるために、加飾シート２０において、透過部２５が占める面積は、５％以上となっていることが好ましく、１０％以上となっていることがより好ましく、１５％以上となっていることがさらに好ましく、２０％以上となっていることがさらにより好ましい。
【００３４】  また、表示装置１０が画像を表示していない状態では、加飾シート２０の意匠部２２による意匠が観察される。加飾シート２０の透過部２５が占める面積は、加飾シート２０の意匠を観察者が実用に耐える程度に明確に観察できるよう、５０％以下とするのが好ましく、観察者がさらに明確に加飾シート２０の意匠を観察できるよう、４０％以下とするのがより好ましく、加飾シート２０によって表示装置１０を隠蔽することができるよう、３０％以下とするのがさらに好ましい。
【００３５】  図６に示された例では、複数の透過部２５が互いに離間して配置されている。各透過部２５の間には、意匠部２２が形成されている。言い換えると、意匠部２２は、複数の透過部２５を取り囲むように連続して形成されている。したがって、各透過部２５は、その全周が１つの意匠部２２によって取り囲まれている。図示された例では、各透過部２５は、正面視において円形となっており、複数の透過部２５は、正方格子状に配置されている。各透過部２５が円形となっている場合、透過部２５を透過する画像光の拡散を抑制することができる。また、透過部２５が格子状、特に正方格子状に配置されている場合、表示装置１０からの画像光を均一に透過させることができるため、画像光にムラが生じにくくなる。しかしながら、透過部２５は、図示された例に限らず、例えば四角形等の任意の形状となっていてもよいし、例えばハニカム配列等の任意の位置に配置されていてもよい。例えば、各透過部２５は、それぞれ異なる形状であってもよいし、その配置位置が不規則であってもよい。
【００３６】  各透過部２５の大きさは、当該透過部２５に内接する最大の円の直径Ｄによって規定することができる。本実施の形態では、少なくとも１つの透過部２５に内接する最大の円の直径Ｄは、１４５μｍ以下、好ましくは１２１μｍ以下、より好ましくは９７μｍ以下、さらに好ましくは７３μｍ以下となっている。また、各透過部２５に内接する最大の円の直径Ｄの平均は、１４５μｍ以下、好ましくは１２１μｍ以下、より好ましくは９７μｍ以下、さらに好ましくは７３μｍ以下となっている。さらに、任意の透過部２５に内接する最大の円の直径Ｄは、１４５μｍ以下、好ましくは１２１μｍ以下、より好ましくは９７μｍ以下、さらに好ましくは７３μｍ以下となっている。また、透過部２５を形成するための加工性の観点から、透過部２５に内接する最大の円の直径Ｄは、１５μｍ以上となっていることが好ましい。なお、図示された例では、各透過部２５は円形であるため、透過部２５に内接する最大の円の直径Ｄは、透過部２５の直径に一致している。
【００３７】  また、各透過部２５の間の意匠部２２の大きさは、隣り合う透過部２５の間の距離Ｓ、すなわちある透過部２５の端部と当該透過部２５の端部に最も近い別の透過部２５の端部との間の距離によって規定することができる。本実施の形態では、少なくとも１組の隣り合う透過部２５の間の距離Ｓは、１４５μｍ以下、好ましくは１２１μｍ以下、より好ましくは９７μｍ以下、さらに好ましくは７３μｍ以下となっている。また、隣り合う透過部２５の間の距離Ｓの平均は、１４５μｍ以下、好ましくは１２１μｍ以下、より好ましくは９７μｍ以下、さらに好ましくは７３μｍ以下となっている。さらに、任意の隣り合う透過部２５の間の距離Ｓは、１４５μｍ以下、好ましくは１２１μｍ以下、より好ましくは９７μｍ以下、さらに好ましくは７３μｍ以下となっている。
【００３８】  さらに、加飾シート２０の透過部２５は、隣り合う透過部２５の間の距離Ｓが４０μｍ以上となるように形成されていることが好ましい。表示装置１０の画像の非表示時において、加飾シート２０の意匠部２２を近距離で観察したとき、隣り合う透過部２５の間の距離Ｓを長くしすぎて、透過部２５に囲まれた意匠部２２が連続している領域の面積を広くすると、加飾シート２０の意匠の細部がシャープに見えるようになり、逆に、隣り合う透過部２５の間の距離Ｓを短くしすぎて、透過部２５に囲まれた意匠部２２が連続している領域の面積を狭くすると、加飾シート２０の意匠の細部がぼやけて見えるようになる。
【００３９】  意匠部２２による意匠を明確に表示することができるよう、意匠部２２の厚さは１μｍ以上であることが好ましい。また、意匠部２２の正射影の最大長さＬを小さくしやすいよう、意匠部２２の厚さは、３０μｍ以下であることが好ましく２０μｍ以下であることがより好ましく、１０μｍ以下であることがさらに好ましい。さらに、意匠部２２の正射影の最大長さＬを小さくしやすいよう、意匠部２２の大きさに対する厚さの比、すなわち各透過部２５の間の距離Ｓに対する意匠部２２の厚さの比は、０．０３以上０．４１以下であることが好ましく、０．０６以上０．３５以下であることがより好ましい。
【００４０】  ここで、透過部２５の配置のピッチＰは、２００μｍ以下であることが好ましく、透過部２５の配置のピッチＰは、１４５μｍ以下であることがより好ましい。ただし、透過部２５を形成するための加工性の観点から、透過部２５の配置のピッチＰは、１５μｍ以上であることが好ましい。なお、図６に示す例では、透過部２５の配置のピッチＰは、透過部２５の大きさと意匠部２２の大きさとの和、言い換えると透過部２５に内接する最大の円の直径Ｄと隣り合う透過部２５の間の距離Ｓとの和となっている。
【００４１】  なお、加飾シート２０の透過部２５が占める面積を適切にするため、透過部２５の配置のピッチＰが２００μｍ以下である場合、透過部２５の大きさ、すなわち透過部２５に内接する最大の円の直径Ｄは、９０μｍ以下であることが好ましい。あるいは、透過部２５の配置のピッチＰが１４５μｍ以下である場合、透過部２５の大きさ、すなわち透過部２５に内接する最大の円の直径Ｄは、７０μｍ以下であることが好ましい。
【００４２】  なお、透過部２５は、図２及び図４に示された例のように、孔や空隙であってもよいが、例えば透明な樹脂によって形成されてもよい。さらに、透明な樹脂は、透過部２５だけでなく、基材部２１が設けられている側とは逆側から意匠部２２を覆うように、すなわち絵柄部２３および遮蔽部２７を覆うように形成されていてもよい。このような透明な樹脂は、透過部２５を形成するとともに、絵柄部２３および遮蔽部２７を保護する透明な保護膜として機能することができる。
【００４３】  透過部２５は、例えば、基材部２１上の全面に設けられた意匠部２２に対して、すなわち絵柄部２３及び遮蔽部２７に対して、透過部２５が形成させるべき位置にレーザーを照射し、レーザーが照射された位置の絵柄部２３及び遮蔽部２７を除去することで設けられる。なお、この透過部２５を形成する方法は例示であり、透過部２５は、他の方法によって形成されてもよい。
【００４４】  遮蔽部２７は、表示装置１０に対面する側、すなわち図２及び図４に示された例では基材部２１の側から、絵柄部２３を覆うように設けられている。遮蔽部２７は、表示装置１０からの画像光が絵柄部２３に入射しないよう、光を吸収する機能を有している。遮蔽部２７は、例えば光吸収粒子をバインダー樹脂中に含み得る。光吸収粒子としては、カーボンブラックやチタンブラック等の黒色顔料を例示することができる。表示装置１０から出射された画像光が透過部２５を透過することが遮蔽部２７によって阻害されないよう、遮蔽部２７は、絵柄部２３に対面する位置にのみ設けられていることが好ましい。また、十分な厚さの遮蔽部２７が絵柄部２３を覆っていると、絵柄部２３によって形成される絵柄を濃く明確に形成することができる。具体的な例として、遮蔽部２７の厚さは、１μｍ以上２０μｍ以下である。
【００４５】  次に、本実施の形態の加飾シート付き表示装置１の作用について説明する。
【００４６】  表示装置１０の表示面１１に画像を表示しない状態では、図７に示すように、加飾シート２０の意匠部２２によって形成される意匠、より詳しくは意匠部２２の絵柄部２３によって形成される絵柄が表示される。すなわち、加飾シート付き表示装置１は、観察されることが意図された絵柄を表示することができる。表示された絵柄によって、表示装置１０の表示面１１が外部の観察者から観察されなくなり、意匠性において加飾シート付き表示装置１を周辺環境と調和させることができる。特に、遮蔽部２７が絵柄部２３に対面する位置にのみ設けられている場合、遮蔽部２７が観察者に観察されず、遮蔽部２７によって加飾シート２０の意匠性が害されることを防止することができる。
【００４７】  一方、表示装置１０が表示面１１に画像を表示した状態では、図８に示すように、画像光は、加飾シート２０の基材部２１及び透過部２５を透過する。これにより、観察者は画像を観察することができる。すなわち、加飾シート付き表示装置１は、観察されることが意図された画像を表示することができ、外部の観察者は、画像を観察することができる。
【００４８】  また、絵柄部２３は、遮蔽部２７によって表示装置１０の側から覆われている。したがって、遮蔽部２７によって、画像光が絵柄部２３へ入射することが妨げられる。このため、絵柄部２３を画像光が透過して、絵柄部２３によって表される絵柄と画像光とが混合して観察されることを防止することができる。すなわち、絵柄部２３で特定波長域の可視光が吸収されることに起因して画像の色再現性が劣化することを効果的に防止することができる。さらに、遮蔽部２７が絵柄部２３に対面する領域にのみ設けられている場合、遮蔽部２７によって透過部２５を透過する画像光が妨げられることが防止される。すなわち、画像光を効率的に利用して、画像を明るく表示することができる。
【００４９】  ところで、上述したように、従来の加飾シート付き表示装置１０１では、表示装置１１０の表示面１１１に画像を表示した状態では、図９に示すように、加飾シート１２０を透過した画像光によって形成される画像に、網目状の模様が観察されることがある。このような網目状の模様は、表示面１１１に表示する画像の視認性を悪化させるため、網目状の模様の発生を抑制することが望まれる。本件発明者らが確認したところ、このような網目状の模様は、加飾シート１２０の意匠部や透過部の大きさが大きいため、個々の意匠部及び透過部の少なくとも一方が視認されることで観察されることが知見された。
【００５０】  特に、表示装置１１０が液晶ディスプレイ等の画素によって任意の画像を形成することができるドットマトリクスディスプレイでなく、光を発する光源及び印刷が施された透明なフィルムや遮光物等の所定のパターン部を含んで所定のパターン部によって所定の画像を表示するものである場合、網目状の模様が顕著に観察されると考えられる。このような表示装置１１０は、画素等の周期的な配置パターンを有さないため、表示装置１１０の画素等の周期的な配置パターンと、加飾シート１２０の意匠部や透過部の周期的な配置パターンとの干渉が生じない。干渉による干渉縞（モアレ）が生じないため、干渉縞によって意匠部や透過部の周期的な配置パターンを視認されにくくすることができない。このため、個々の意匠部及び透過部の少なくとも一方が視認されやすく、網目状の模様が顕著に観察されると考えられる。
【００５１】  また、表示装置が規則的に２次元配列された複数の画素を有する、いわゆるドットマトリクスディスプレイである場合、表示装置は各画素を区画する格子状のブラックマトリクスを有している。ブラックマトリクスを有する表示装置に対面して加飾シートが配置されていると、加飾シートの透過部とブラックマトリクスとが重なる。この場合、ブラックマトリクスによって透過部を透過する光の量が各透過部で異なり得る。各透過部での光量のむらが顕著に観察されるため、上述の意匠部や透過部の周期的な配置パターンが観察されにくい。一方、表示装置が所定のパターン部によって所定の画像を表示するものである場合、光源として面光源装置が用いられる。面光源装置は、面状に同一の光量で光を発するため、各透過部で光量のむらは生じにくく、したがって上述の意匠部や透過部の周期的な配置パターンが顕著に観察されやすい。このため、以下に説明する意匠部や透過部が視認されて網目状の模様が観察されることを抑制するための工夫は、表示装置が面光源装置及び所定のパターン部を含み、面光源装置からの光を所定のパターン部に透過させることによって所定の画像を表示するものであるである場合、特に有効である。とりわけ、所定のパターン部の少なくとも一部における光を透過する部分が１．０ｍｍ以上の幅を有している場合、当該部分において意匠部や透過部の周期的な配置パターンが顕著に観察されやすいため、さらに有効である。
【００５２】  個々の意匠部及び透過部が視認されないためには、個々の意匠部の大きさ及び透過部の大きさが視認されない程度にまで小さくなっていること、具体的には肉眼の視力または眼鏡等による矯正視力の分解能以下の大きさとなっていることが求められる。ここで、加飾シート付き表示装置は、一般に、５０ｃｍ程度以上離れた位置で観察される。移動体、とりわけ自動車に搭載される加飾シート付き表示装置は、５０ｃｍ以上１５０ｃｍ以下といった限られた距離だけ離れた位置から観察される。５０ｃｍ離れた位置での観察において、視力１．０の観察者の空間分解能は、１４５μｍであり、視力１．２の観察者の空間分解能は、１２１μｍであり、視力１．５の観察者の空間分解能は、９７μｍであり、視力２．０の観察者の空間分解能は、７３μｍ以下である。また、１５０ｃｍ離れた位置での観察において、視力１．０の観察者の空間分解能は、４３６μｍであり、視力１．２の観察者の空間分解能は、３６４μｍであり、視力１．５の観察者の空間分解能は、２９１μｍであり、視力２．０の観察者の空間分解能は、２１８μｍである。したがって、個々の意匠部の大きさ及び透過部の大きさが１４５μｍ以下、好ましくは１２１μｍ以下、より好ましくは９７μｍ以下、さらに好ましくは７３μｍ以下であると、観察者が個々の意匠部及び透過部を視認することができず、網目状の模様が十分に観察されなくなる。
【００５３】  なお、観察者（人間）の空間分解能は、空間分解能〔ｍ〕＝２π／３６０／６０／（視力）×（観察対象までの距離［ｍ］）によって算出することができる。
【００５４】  本実施の形態の加飾シート付き表示装置１では、少なくとも１つの透過部２５の大きさ、すなわち少なくとも１つの透過部２５に内接する最大の円の直径Ｄは、１４５μｍ以下となっている。また、少なくとも１つの透過部２５の間の意匠部２２の大きさ、すなわち少なくとも１組の隣り合う透過部２５の間の距離Ｓは、１４５μｍ以下となっている。このため、加飾シート２０を有する加飾シート付き表示装置１において、表示装置１０の表示面１１に画像を表示しても、少なくとも部分的に網目状の模様の発生を抑制することができると考えられる。実際に本件発明者らが少なくとも１つの透過部２５に内接する最大の円の直径Ｄが１４５μｍ以下となっており、且つ少なくとも１組の隣り合う透過部２５の間の距離Ｓが１４５μｍ以下となっている加飾シート２０を有する加飾シート付き表示装置１を、表示装置１０の表示面１１に画像を表示した状態で観察したところ、少なくとも部分的に網目状の模様の発生が抑制されることが確認された。とりわけ、表示装置１０が光を発する光源及び印刷が施された透明なフィルムや遮光物等の所定のパターン部１３を含む場合、網目状の模様の発生が効果的に抑制されることが確認された。
【００５５】  また、好ましくは、各透過部２５に内接する最大の円の直径Ｄの平均は、１４５μｍ以下となっており、隣り合う透過部２５の間の距離Ｓの平均は、１４５μｍ以下となっている。この場合、加飾シート２０を有する加飾シート付き表示装置１において、表示装置１０の表示面１１に画像を表示しても、加飾シート２０の全体的に網目状の模様の発生を抑制することができる。さらに好ましくは、任意の透過部２５に内接する最大の円の直径Ｄは、１４５μｍ以下となっており、任意の隣り合う透過部２５の間の距離Ｓは、１４５μｍ以下となっている。この場合、加飾シート２０の全体において網目状の模様の発生を抑制することができる。
【００５６】  ここで、図１０には、加飾シート２０における表示装置１０が画像を表示する領域Ｒ１と画像を表示しない領域Ｒ２との境界Ｂ１付近を拡大して示している。領域Ｒ１に重なる部分おける加飾シート２０の透過部２５は、表示装置１０からの画像光を透過しているが、領域Ｒ２に重なる部分における加飾シート２０の透過部２５には、画像光が入射しておらず、したがって画像光を透過させていない。このとき、加飾シート付き表示装置１の観察者には、表示装置１０が画像を表示する領域Ｒ１と画像を表示しない領域Ｒ２との境界としては、表示装置１０自体の画像を表示する領域Ｒ１と画像を表示しない領域Ｒ２との境界Ｂ１ではなく、加飾シート２０の画像光を透過させている透過部２５と透過させていない透過部２５との境界Ｂ２が観察される。この境界Ｂ２は、図１０に示すように、折れ線状に観察される。このため、表示装置１０が画像を表示する領域Ｒ１と画像を表示しない領域Ｒ２との境界は、滑らかに観察されにくい。
【００５７】  図１０に示すように、折れ線となっている境界Ｂ２を形成する線分のうちの短い方の線分は、透過部２５の配置のピッチＰに等しくなっている。透過部２５の配置のピッチＰが十分に小さくなっていることで、境界Ｂ２を形成する線分のうちの短い方の線分が視認されにくくなり、図１０に示す境界Ｂ２が折れ線として視認されにくくなる。すなわち、表示装置１０が画像を表示する領域Ｒ１と画像を表示しない領域Ｒ２との境界が滑らかに観察されやすくなる。具体的には、本実施の形態のように、透過部２５の配置のピッチＰが２００μｍ以下となっていることで、境界Ｂ２が折れ線として視認されにくくなる。さらに、透過部２５の配置のピッチＰが肉眼の視力または眼鏡等による矯正視力の分解能以下の大きさとなっていると、具体的には１４５μｍ以下、好ましくは１２１μｍ以下、より好ましくは９７μｍ以下、さらに好ましくは７３μｍ以下であると、境界Ｂ２を形成する線分のうちの短い方の線分がほとんど視認されず、境界Ｂ２が折れ線としてより視認されにくくなる。このため、表示装置１０が画像を表示する領域Ｒ１と画像を表示しない領域Ｒ２との境界がより滑らかに観察される。
【００５８】  表示装置１０が２次元配列された複数の画素を有するドットマトリクスディスプレイである場合、画像は画素によって表示される。画素のピッチは透過部２５の配置のピッチＰより小さいため、表示装置１０が曲線を含む画像を表示する際には、画素のピッチに依存して表示装置１０の画像を表示する領域Ｒ１と画像を表示しない領域Ｒ２との境界が滑らかに観察されにくい。したがって、透過部２５の配置のピッチＰを小さくしても、画像を表示する領域Ｒ１と画像を表示しない領域Ｒ２との境界が滑らかに観察されにくい。一方、表示装置１０が光源及び所定のパターン部１３を含む場合、画像は所定のパターン部１３を透過した光によって形成される。したがって、表示装置１０が曲線を含む画像を表示しても、表示装置１０によって形成される画像において、画像を表示する領域Ｒ１と画像を表示しない領域Ｒ２との境界が滑らかになっている。このため、透過部２５の配置のピッチＰを小さくすることで、画像を表示する領域Ｒ１と画像を表示しない領域Ｒ２との境界が滑らかに観察されやすくなる。
【００５９】  また、表示装置１０がドットマトリクスディスプレイである場合、画像を表示しない領域Ｒ２においても光源からの光が完全には遮光されないため、画像を表示しない領域Ｒ２からもわずかな光が出射している。このため、画像を表示しない領域Ｒ２に重なる透過部２５からも光が出射している。したがって、画像を表示する領域Ｒ１と画像を表示しない領域Ｒ２とのコントラストが比較的小さい。一方、表示装置１０が光源及び所定のパターン部１３を含む場合、画像を表示しない領域Ｒ２においては光源からの光が所定のパターン部１３によって遮光されるため、画像を表示しない領域Ｒ２からは光がほとんど出射しない。このため、領域Ｒ２の透過部２５からは光が出射しない。したがって、画像を表示する領域Ｒ１と画像を表示しない領域Ｒ２とのコントラストが比較的大きい。画像を表示する領域Ｒ１と画像を表示しない領域Ｒ２とのコントラストが大きいことで、表示装置１０が画像を表示する領域Ｒ１と画像を表示しない領域Ｒ２との境界が、特に目立って観察されやすい。
【００６０】  これらのことから、表示装置１０が光を発する光源及び印刷が施された透明なフィルムや遮光物等の所定のパターン部１３を含む場合、透過部２５の配置のピッチＰを十分に小さくすることで表示装置１０が画像を表示する領域Ｒ１と画像を表示しない領域Ｒ２との境界が滑らかに観察されやすくなる効果を、特に有効に奏することができる。
【００６１】  また、加飾シート付き表示装置１及び加飾シート２０は、その正面方向からだけでなく、表面方向から傾斜した方向からも観察され得る。表面方向から傾斜した方向からの観察では、意匠部２２が正射影の最大長さＬで観察され得る。本実施の形態の加飾シート２０では、意匠部２２の正射影の最大長さＬが、１４５μｍ以下となっている。このため、加飾シート付き表示装置１を表示装置１０の表示面１１に画像を表示した状態で正面方向から傾斜した方向から観察しても、個々の意匠部２２が視認されにくくなり、網目状の模様が観察されてしまうことが抑制される。
【００６２】  意匠部２２の厚さが薄いと、具体的には３０μｍ以下であることで、意匠部２２の大きさ、すなわち隣り合う透過部２５の間の距離Ｓを小さくすることなく、意匠部２２の正射影の最大長さＬを小さくしやすい。また、各透過部２５の間の距離Ｓに対する意匠部２２の厚さの比が０．０３以上０．４１以下であると、意匠部２２の正射影の最大長さＬを小さくしやすい。このため、加飾シート付き表示装置１を表示装置１０の表示面１１に画像を表示した状態で正面方向から傾斜した方向から観察しても、網目状の模様が観察されてしまうことが抑制されやすくできる。
【００６３】  以上のように、本実施の形態の加飾シート２０は、表示装置１０に対面して配置される加飾シートであって、意匠を形成する意匠部２２と、互いに離間して配置され且つ意匠部２２の非形成部である複数の透過部２５と、を備え、少なくとも１つの透過部２５に内接する最大の円の直径は、１４５μｍ以下であり、少なくとも１組の隣り合う透過部２５の間の距離は、１４５μｍ以下である。このような加飾シート２０によれば、意匠部２２の大きさ及び透過部２５の大きさが肉眼の視力または矯正視力の分解能以下の大きさとなっているため、加飾シート２０を有する加飾シート付き表示装置１において、表示装置１０の表示面１１に画像を表示しても、少なくとも部分的に網目状の模様の発生を抑制することができる。
【００６４】  なお、上述した実施の形態に対して様々な変更を加えることが可能である。
【００６５】  例えば、上述した実施の形態において、加飾シート２０は、基材部２１を有していた。しかしながら、加飾シート２０は、その製造工程で剥離させる等によって、基材部２１が除かれていてもよい。この場合、透過部２５は、加飾シート２０の貫通孔として形成され得る。
【００６６】  また、上述した実施の形態において、図２及び図４に示すように、加飾シート２０の全体に透過部２５が形成されていた。しかしながら、透過部２５は、加飾シート２０の表示装置１０の表示面１１に対面する領域のみに形成されていてもよい。表示装置１０の表示面１１に対面する領域のみに透過部２５を形成することにより、透過部２５を形成する工程を少なくすることができるため、加飾シート２０の製造コストを抑えることができる。
【００６７】  さらに、上述した実施の形態において、図２に示すように、加飾シート２０において、基材部２１の表示装置１０に対面する側とは逆側に絵柄部２３及び遮蔽部２７が設けられていた。しかしながら、図１１に示すように、加飾シート２０において、基材部２１の表示装置１０に対面する側に絵柄部２３及び遮蔽部２７が設けられていてもよい。この場合、透過部２５に異物が付着して画像光を妨げてしまうことが生じにくくなる。なお、図１１では、図２に示したのと同様に、表示装置１０が画像光を出射する装置として示されているが、この変形例においても、表示装置１０は、図４に示すような光を発する光源及び印刷が施された透明なフィルムや遮光物等の所定のパターン部１３を含んでいるものであってもよい。
【００６８】  また、上述した実施の形態では、図６に示すように、加飾シート２０に複数の透過部２５が互いに離間して配置され、各透過部２５の間に意匠部２２が形成されていた。しかしながら、図１２に示すように、加飾シート２０において、複数の意匠部２２が互いに離間して配置され、各意匠部２２の間に透過部２５が形成されていてもよい。言い換えると、透過部２５は、複数の意匠部２２を取り囲むように連続して形成されている。したがって、各意匠部２２は、その全周が１つの透過部２５によって取り囲まれている。
【００６９】  意匠部２２は、絵柄部２３を含んでいる。図１２に示す例では、各意匠部２２は、正面視において円形となっているが、図示された例に限らず、任意の形状であってもよい。また、各意匠部２２の大きさは、当該意匠部２２に内接する最大の円の直径Ｄによって規定することができ、各意匠部２２の間の透過部２５の大きさは、隣り合う意匠部２２の間の距離Ｓ、すなわちある意匠部２２の端部と当該意匠部２２の端部に最も近い別の意匠部２２の端部との間の距離によって規定することができる。
【００７０】  図１２に示す変形例において、加飾シート２０の少なくとも部分的に網目状の模様の発生を抑制するために、少なくとも１つの意匠部２２の大きさ、すなわち少なくとも１つの意匠部２２に内接する最大の円の直径Ｄは、１４５μｍ以下、好ましくは１２１μｍ以下、より好ましくは９７μｍ以下、さらに好ましくは７３μｍ以下となっている。また、少なくとも１つの意匠部２２の間の透過部２５の大きさ、すなわち少なくとも１組の隣り合う意匠部２２の間の距離Ｓは、１４５μｍ以下、好ましくは１２１μｍ以下、より好ましくは９７μｍ以下、さらに好ましくは７３μｍ以下となっている。さらに、加飾シート２０の全体的に網目状の模様の発生を抑制するために、各意匠部２２に内接する最大の円の直径Ｄの平均は、１４５μｍ以下、好ましくは１２１μｍ以下、より好ましくは９７μｍ以下、さらに好ましくは７３μｍ以下となっており、隣り合う意匠部２２の間の距離Ｓの平均は、１４５μｍ以下、好ましくは１２１μｍ以下、より好ましくは９７μｍ以下、さらに好ましくは７３μｍ以下となっている。また、加飾シート２０の全体において網目状の模様の発生を抑制するために、任意の意匠部２２に内接する最大の円の直径Ｄは、１４５μｍ以下、好ましくは１２１μｍ以下、より好ましくは９７μｍ以下、さらに好ましくは７３μｍ以下となっており、任意の隣り合う意匠部２２の間の距離Ｓは、１４５μｍ以下、好ましくは１２１μｍ以下、より好ましくは９７μｍ以下、さらに好ましくは７３μｍ以下となっている。
【００７１】  上述した加飾シート２０及び加飾シート２０を有する加飾シート付き表示装置１は、例えば自動車や鉄道等の車両、航空機、船舶及び宇宙船等の移動体の内装部材または外装部材に用いられる。具体的な適用例として、加飾シート２０及び加飾シート２０を有する加飾シート付き表示装置１は、自動車のセンターコンソールや、ドアトリムに用いられる。あるいは、加飾シート２０及び加飾シート２０を有する加飾シート付き表示装置１は、建物の内装部材または外装部材、電子機器、家具や電化製品に組み込まれて用いられてもよい。
【符号の説明】
【００７２】  １    加飾シート付き表示装置１０    表示装置１１    表示面１３    パターン部１５    面光源装置２０    加飾シート２１    基材部２２    意匠部２３    絵柄部２５    透過部２７    遮蔽部
【図１】
2020040204.tif 000003
【図２】
2020040204.tif 000004
【図３】
2020040204.tif 000005
【図４】
2020040204.tif 000006
【図５】
2020040204.tif 000007
【図６】
2020040204.tif 000008
【図７】
2020040204.tif 000009
【図８】
2020040204.tif 000010
【図９】
2020040204.tif 000011
【図１０】
2020040204.tif 000012
【図１１】
2020040204.tif 000013
【図１２】
2020040204.tif 000014
【国際調査報告】
2020040204.tif 000015
2020040204.tif 000016
2020040204.tif 000017
2020040204.tif 000018